(57)【特許請求の範囲】
【請求項１】
四角形の第一薄葉紙と、当該第一薄葉紙と同形の第二薄葉紙とから構成されたマスクであって、
二つ折りにされた前記第一薄葉紙が、
折目側であって上に向けられた第一端部と、当該第一端部の反対側であって下に向けられて互いに重なった第一積層部と、左右の端である第一両端部とを有し、
二つ折りにされた前記第二薄葉紙が、
折目側であって下に向けられた第二端部と、当該第二端部の反対側であって上に向けられて互いに重なった第二積層部と、左右の端である第二両端部とを有し、
前記第一積層部と前記第二積層部とが向かい合って互いに重ねられたマスク中央部と、
前記第一端部が当該第一端部と前記第一積層部との間にある第一内側折り線で前記マスク中央部に向って表側に折られると共に、前記第一内側折り線と前記第一端部との間にある第一外側折り線で前記マスク中央部と反対側に向って折り返された第一襞部と、
前記第二端部が当該第二端部と前記第二積層部との間にある第二内側折り線で前記マスク中央部に向って表側に折られると共に、前記第二内側折り線と前記第二端部との間にある第二外側折り線で前記マスク中央部と反対側に向って折り返された第二襞部と、
前記第一両端部及び前記第二両端部が裏側に折られて筒状に形成された紐通し部と、を有する、
ことを特徴とするマスク。
【請求項２】
前記紐通し部に紐が通された、
ことを特徴とする請求項１に記載されたマスク。
【請求項３】
前記第一薄葉紙及び前記第二薄葉紙が、ペーパータオルである、
ことを特徴とする請求項１又は請求項２に記載されたマスク。
【請求項４】
抗菌処理及び消臭処理が施された、
ことを特徴とする請求項１から請求項３のいずれか１項に記載されたマスク。
【請求項５】
四角形の第一薄葉紙を上下に二つ折りにする手順と、
前記第一薄葉紙と同形の第二薄葉紙を上下に二つ折りにする手順と、
前記第一薄葉紙の折目側である第一端部の反対側であって互いに重なった第一積層部と、前記第二薄葉紙の折目側である第二端部の反対側であって互いに重なった第二積層部とを、向かい合わせて互いに重ねる手順と、
前記第一端部を、当該第一端部と前記第一積層部との間にある第一内側折り線で表側に向けて折ると共に、前記第一内側折り線と前記第一端部との間にある第一外側折り線で、前記第一内側折り線で折った向きと反対側に向って折り返して、第一襞部を形成する手順と、
前記第二端部を、当該第二端部と前記第二積層部との間にある第二内側折り線で表側に向けて折ると共に、前記第二内側折り線と前記第二端部との間にある第二外側折り線で、前記第二内側折り線で折った向きと反対側に向って折り返して、第二襞部を形成する手順と、
左右の両端部を、裏側に向けて、紐を挟んだ状態で折って接着する手順と、を経る、
ことを特徴とするマスクの製造方法。
【発明の詳細な説明】
【技術分野】
【０００１】
本発明は、マスク及びマスクの製造方法に関するものである。
【背景技術】
【０００２】
従来、例えば、花粉、埃、ウィルス等（以下、「飛沫物」と記す。）のアレルギー症や感染症を予防するために、口や鼻を覆うマスクがある。一方で、鼻水等を拭うためには、ティッシュペーパーが用いられ、マスクとティッシュペーパーとは、目的に応じて併用されている。ところで、マスクを装着したがティッシュペーパーを携行し忘れる場合や、その逆の場合も起こり得る。そこで、下記特許文献１では、マスク兼用ティッシュペーパーや、ティッシュペーパー型マスク（以下、「文献公知１発明」と記す。）が開示されている。
【０００３】
文献公知１発明は、ティッシュペーパーに、マスクのようなプリーツが形成され、両端部がヒートシールされている。耳に掛ける紐は、着脱自在である。
【先行技術文献】
【特許文献】
【０００４】
【特許文献１】特開２０１１−６２２６９号公報
【発明の概要】
【発明が解決しようとする課題】
【０００５】
しかし、文献公知１発明は、上記したとおり、マスク兼用ティッシュペーパー又はティッシュペーパー型マスクであるため、マスクとティッシュペーパーとの両方を携行する煩わしさを解消できるが、そもそも携行し忘れた場合を想定していない。すなわち、仮に、当該マスク兼用ティッシュペーパー等を携行し忘れれば、マスクもティッシュペーパーも持ち合わせがないことになるし、例えば、マスクを忘れてティッシュペーパーのみを携行していた場合や、突発的にマスクを要することになった場合等、文献公知１発明では対応できない。
【０００６】
本発明は、上記の実情に鑑みて提案されたものである。すなわち、既成のマスクを持ち合わせていない場合であっても、代用品から形成することができるマスク及びマスクの製造方法の提供を目的とする。
【課題を解決するための手段】
【０００７】
上記目的を達成するために、本発明に係るマスクは、四角形の第一薄葉紙と、当該第一薄葉紙と同形の第二薄葉紙とから構成されたマスクであって、二つ折りにされた前記第一薄葉紙が、折目側であって上に向けられた第一端部と、当該第一端部の反対側であって下に向けられて互いに重なった第一積層部と、左右の端である第一両端部とを有し、二つ折りにされた前記第二薄葉紙が、折目側であって下に向けられた第二端部と、当該第二端部の反対側であって上に向けられて互いに重なった第二積層部と、左右の端である第二両端部とを有し、前記第一積層部と前記第二積層部とが向かい合って互いに重ねられたマスク中央部と、前記第一端部が当該第一端部と前記第一積層部との間にある第一内側折り線で前記マスク中央部に向って表側に折られると共に、前記第一内側折り線と前記第一端部との間にある第一外側折り線で前記マスク中央部と反対側に向って折り返された第一襞部と、前記第二端部が当該第二端部と前記第二積層部との間にある第二内側折り線で前記マスク中央部に向って表側に折られると共に、前記第二内側折り線と前記第二端部との間にある第二外側折り線で前記マスク中央部と反対側に向って折り返された第二襞部と、前記第一両端部及び前記第二両端部が裏側に折られて筒状に形成された紐通し部と、を有する、ことを特徴とする。
【０００８】
本発明に係るマスクは、前記紐通し部に紐が通された、ことを特徴とする。
【０００９】
本発明に係るマスクは、前記第一薄葉紙及び前記第二薄葉紙が、ペーパータオルである、ことを特徴とする。
【００１０】
本発明に係るマスクは、抗菌処理及び消臭処理が施された、ことを特徴とする。
【００１１】
本発明に係るマスクの製造方法は、四角形の第一薄葉紙を上下に二つ折りにする手順と、前記第一薄葉紙と同形の第二薄葉紙を上下に二つ折りにする手順と、前記第一薄葉紙の折目側である第一端部の反対側であって互いに重なった第一積層部と、前記第二薄葉紙の折目側である第二端部の反対側であって互いに重なった第二積層部とを、向かい合わせて互いに重ねる手順と、前記第一端部を、当該第一端部と前記第一積層部との間にある第一内側折り線で表側に向けて折ると共に、前記第一内側折り線と前記第一端部との間にある第一外側折り線で、前記第一内側折り線で折った向きと反対側に向って折り返して、第一襞部を形成する手順と、前記第二端部を、当該第二端部と前記第二積層部との間にある第二内側折り線で表側に向けて折ると共に、前記第二内側折り線と前記第二端部との間にある第二外側折り線で、前記第二内側折り線で折った向きと反対側に向って折り返して、第二襞部を形成する手順と、左右の両端部を、裏側に向けて、紐を挟んだ状態で折って接着する手順と、を経る、ことを特徴とする。
【発明の効果】
【００１２】
本発明に係るマスクは、四角形の第一薄葉紙と、当該第一薄葉紙と同形の第二薄葉紙とから構成されたマスクであって、二つ折りにされた第一薄葉紙が、折目側であって上に向けられた第一端部と、当該第一端部の反対側であって下に向けられて互いに重なった第一積層部と、左右の端である第一両端部とを有し、二つ折りにされた第二薄葉紙が、折目側であって下に向けられた第二端部と、当該第二端部の反対側であって上に向けられて互いに重なった第二積層部と、左右の端である第二両端部とを有し、第一積層部と第二積層部とが向かい合って互いに重ねられたマスク中央部と、第一端部が当該第一端部と第一積層部との間にある第一内側折り線でマスク中央部に向って表側に折られると共に、第一内側折り線と第一端部との間にある第一外側折り線で前記マスク中央部と反対側に向って折り返された第一襞部と、第二端部が当該第二端部と第二積層部との間にある第二内側折り線でマスク中央部に向って表側に折られると共に、第二内側折り線と第二端部との間にある第二外側折り線でマスク中央部と反対側に向って折り返された第二襞部と、第一両端部及び第二両端部が裏側に折られて筒状に形成された紐通し部とを有している。すなわち、本発明は、各薄葉紙が折り畳まれて形成されているため、既成のマスクを持ち合わせていない場合であっても、各薄葉紙からマスクを形成することができる。
【００１３】
本発明に係るマスクは、紐通し部に紐が通されている。したがって、既成のマスクを持ち合わせていない場合であっても、代用品からマスクを形成することができる。
【００１４】
本発明に係るマスクは、第一薄葉紙及び第二薄葉紙が、ペーパータオルである。ペーパータオルは、一般的に、ティッシュペーパーよりも丈夫であり、水に溶けにくいため、マスクとしての堅牢性を担保することができる。
【００１５】
本発明に係るマスクは、抗菌処理及び消臭処理が施されている。したがって、衛生を保つことができる。
【００１６】
本発明に係るマスクの製造方法は、四角形の第一薄葉紙を上下に二つ折りにする手順と、第一薄葉紙と同形の第二薄葉紙を上下に二つ折りにする手順と、第一薄葉紙の折目側である第一端部の反対側であって互いに重なった第一積層部と、第二薄葉紙の折目側である第二端部の反対側であって互いに重なった第二積層部とを、向かい合わせて互いに重ねる手順と、第一端部を、当該第一端部と第一積層部との間にある第一内側折り線で表側に向けて折ると共に、第一内側折り線と第一端部との間にある第一外側折り線で、第一内側折り線で折った向きと反対側に向って折り返して、第一襞部を形成する手順と、第二端部を、当該第二端部と第二積層部との間にある第二内側折り線で表側に向けて折ると共に、第二内側折り線と第二端部との間にある第二外側折り線で、第二内側折り線で折った向きと反対側に向って折り返して、第二襞部を形成する手順と、左右の両端部を、裏側に向けて、紐を挟んだ状態で折って接着する手順とを経る。したがって、既成のマスクを持ち合わせていない場合であっても、代用品からマスクを形成することができる。
【図面の簡単な説明】
【００１７】
【図１】図１は、本発明の実施形態に係るマスクの外観正面図である。
【図２】図２は、本発明の実施形態に係るマスクを構成する各薄葉紙の外観図である。
【図３】図３は、本発明の実施形態に係るマスクの製造過程における第一手順が示された説明図である。
【図４】図４は、本発明の実施形態に係るマスクの製造過程における第二手順が示された説明図である。
【図５】図５は、本発明の実施形態に係るマスクの製造過程における第三手順が示された説明図である。
【図６】図６は、本発明の実施形態に係るマスクの製造過程における第四手順が示された説明図である。
【図７】図７は、本発明の実施形態に係るマスクの製造過程における第五手順が示された説明図である。
【図８】図８は、本発明の実施形態に係るマスクの製造過程における第六手順が示された説明図である。
【図９】図９は、本発明の実施形態に係るマスクの製造過程における第七手順が示された説明図である。
【図１０】図１０は、本発明の実施形態に係るマスクの外観裏面図である。
【図１１】図１１は、図１０におけるXI−XI断面であって、本発明の実施形態に係るマスクの概略断面拡大図である。
【発明を実施するための形態】
【００１８】
以下、本発明の実施形態に係るマスク及びマスクの製造方法について図面を用いて説明する。図１は、マスク１の外観が示されている。
【００１９】
図１示されているとおり、マスク１は、マスク本体部２と紐７とから構成されている。マスク本体部２は、マスク中央部３と、このマスク中央部３の上端に連接された第一襞部４と、マスク中央部３の下端に連接された第二襞部５と、マスク中央部３の左右両端に連接された紐通し部６とを有している。マスク本体部２は、二枚の薄葉紙から構成され、第一薄葉紙８と第二薄葉紙１６とが組み合わさって折られたものである。
【００２０】
図２に示されているとおり、第一薄葉紙８及び第二薄葉紙１６は、四角形であって、例えば、ペーパータオル、ティッシュペーパー、不織布等である。各薄葉紙８，１６は、適宜、脱臭処理、消臭処理、滅菌処理、抗菌処理、抗ウィルス処理、抗カビ処理、触媒処理等が施されている。すなわち、例えば、活性炭、ゼオライト、フラボノイド、タンニン、カテキン、ポリフェノール等の消臭剤又は脱臭剤が含浸されていてもよいし、例えば、銀イオンを担持したゼオライト等の抗菌剤が含浸されていてもよい。
【００２１】
ここで、マスク１の製造過程を図面に基づいて説明する。図３ないし９は、マスク１の製造過程における手順が示されている。図１０は、完成したマスクの裏面が示されている。
【００２２】
図３に示されているとおり、第一手順において、第一薄葉紙８は、上下に二つ折りにされる。第一薄葉紙８は、折目側であって上に向けられた第一端部９と、この第一端部９の反対側であって下に向けられて互いに重なった第一積層部１０と、左右の端である第一両端部１１とを有している。第一端部９と第一積層部１０との間には、左右に伸びた第一内側折り線１２があり、この第一内側折り線１２と第一端部９との間には、左右に伸びた第一外側折り線１３がある。
【００２３】
二薄葉紙１６は、第一薄葉紙８と同形の四角形であって、二つ折りにされている。第二薄葉紙１６は、折目側であって下に向けられた第二端部１７と、この第二端部１７の反対側であって上に向けられて互いに重なった第二積層部１８と、左右の端である第二両端部１９とを有している。第二端部１７と第二積層部１８との間には、左右に伸びた第二内側折り線２０があり、この第二内側折り線２０と第二端部１７との間には、左右に伸びた第二外側折り線２１がある。
【００２４】
なお、各薄葉紙８，１６の各折り線１２，１３，２０，２１は、折られた結果として形成される折り目であるため、予め形成された折癖ではないが、他の実施形態として、予め各折り線１２，１３，２０，２１が、色で表されていてもよいし、折癖として形成されていてもよい。
【００２５】
図４に示されているとおり、第二手順において、第一積層部１０と第二積層部１８とは、向かい合って互いに重ねられる。具体的には、第二積層部１８が、第一積層部１０の表紙部１４と裏紙部１５との間に挟まれる。
【００２６】
図５に示されているとおり、第三手順において、第一端部９が、第一内側折り線１２で、下側に向けて表側に折られると共に、第一外側折り線１３で、第一内側折り線１２で折られた向きと反対側である上側に向けて折り返される。すなわち、第一襞部４が形成される。
【００２７】
図６に示されているとおり、第四手順において、第二端部１７が、第二内側折り線２０で、上側に向けて表側に折られると共に、第二外側折り線２１で、第二内側折り線２０で折られた向きと反対側である下側に向けて折り返される。すなわち、第二襞部５が形成される。なお、第一襞部４と第二襞部５とが形成される順番は任意であるため、第四手順の後に第三手順を経てもよい。また、本実施形態では、第一襞部４の縦幅が、第二襞部５の縦幅よりも広いが、他の実施形態として、第一襞部４の縦幅と第二襞部５の縦幅とが、同じであってもよいし、第二襞部５の縦幅が、第一襞部４の縦幅よりも広くてもよい。
【００２８】
組み合わさって折られた各薄葉紙８，１６は、図７ないし９に示されているとおり、裏返され、重ねられた各両端部１１，１９が、裏側に向けて折られる。具体的には、図７に示されているとおり、第五手順において、例えば、接着手段としての両面テープ２３や糊が各両端部１１，１９の裏面に貼り付けられ、その上に紐７が載せられる。紐７は、例えば、布、ゴム等である。図８に示されているとおり、第六手順において、紐７が挟まれた状態で、各両端部１１，１９が裏側に向けて折られ、紐７が各両端部１１，１９によって巻かれる。更に、図９に示されているとおり、第七手順において、各両端部１１，１９の表面であって裏側に折られた部位である糊代部２２に、両面テープ２３が貼り付けられ、更に糊代部２２が裏側に向けて折られる。各両端部１１，１９は、紐７が挟まれた状態で接着され、図１０に示されているとおり、筒状の紐通し部６が形成される。
【００２９】
上記のとおり、マスク１は、各薄葉紙８，１６が組み合わさり、また、折られることによって製造されて完成する。マスク１における各部は、各薄葉紙８，１６で構成され、次のとおりである。図１１は、マスク１の断面が示されている。
【００３０】
図１１に示されているとおり、マスク本体部２の中央部分は、第一薄葉紙８の第一積層部１０と第二薄葉紙１６の第二積層部１８とが向かい合って互いに重ねられた部位である。具体的には、第二積層部１８が、第一積層部１０の表紙部１４と裏紙部１５との間に挟まれている。
【００３１】
第一襞部４は、第一端部９が複数回折られて形成された部位である。具体的には、第一襞部４は、第一内側折り線１２で、第一端部９がマスク中央部３に向って表側に折られると共に、第一外側折り線１３でマスク中央部３と反対側に向って折り返されて形成されている。
【００３２】
第二襞部５は、第二端部１７が複数回折られて形成された部位である。具体的には、第二襞部５は、第二内側折り線２０で、第二端部１７がマスク中央部３に向って表側に折られると共に、第二外側折り線２１でマスク中央部３と反対側に向って折り返されて形成されている。
【００３３】
次に、本実施形態の効果を説明する。
【００３４】
上記したとおり、本実施形態では、マスク本体部２は、ペーパータオル、ティッシュペーパー、不織布等の二枚の薄葉紙から構成され、第一薄葉紙８と第二薄葉紙１６とが組み合わさって折られたものである。すなわち、第一手順において、各薄葉紙８，１６は、上下に二つ折りにされ、第二手順において、第一積層部１０と第二積層部１８とが、向かい合って互いに重ねられ、第三及び第四手順において、各襞部４，５が形成され、第五ないし第七手順において、重ねられた各両端部１１，１９が、紐７と共に裏側に向けて折られ、マスク１が完成する。すなわち、本実施形態は、ティッシュペーパーやペーパータオル等の各薄葉紙８，１６が折り畳まれて形成されているため、既成のマスクを持ち合わせていない場合であっても、各薄葉紙８，１６からマスク１を形成することができる。ペーパータオルは、一般的に、ティッシュペーパーよりも丈夫であり、水に溶けにくいため、マスク１としての堅牢性を担保することができる。
【００３５】
本実施形態では、脱臭処理、消臭処理、滅菌処理、抗菌処理、抗ウィルス処理、抗カビ処理、触媒処理等が施されている。したがって、衛生を保つことができる。
【００３６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３７】
１    マスク
２    マスク本体部
３    マスク中央部
４    第一襞部
５    第二襞部
６    紐通し部
７    紐
８    第一薄葉紙
９    第一端部
１０  第一積層部
１１  第一両端部
１２  第一内側折り線
１３  第一外側折り線
１４  表紙部
１５  裏紙部
１６  第二薄葉紙
１７  第二端部
１８  第二積層部
１９  第二両端部
２０  第二内側折り線
２１  第二外側折り線
２２  糊代部
２３  両面テープ
【要約】
【課題】既成のマスクを持ち合わせていない場合であっても、代用品から形成することができるマスク及びマスクの製造方法を提供する。
【解決手段】マスク１は、ペーパータオル等の二枚の各薄葉紙８，１６から構成され、第一手順において、各薄葉紙８，１６は、上下に二つ折りにされ、第二手順において、第一薄葉紙８の第一積層部と第二薄葉紙１６の第二積層部とが、向かい合って互いに重ねられ、第三及び第四手順において、各襞部４，５が形成され、第五ないし第七手順において、重ねられた各両端部が、紐７と共に裏側に向けて折られたものである。
【選択図】図１【図１】
0006976616.tif 000002
【図２】
0006976616.tif 000003
【図３】
0006976616.tif 000004
【図４】
0006976616.tif 000005
【図５】
0006976616.tif 000006
【図６】
0006976616.tif 000007
【図７】
0006976616.tif 000008
【図８】
0006976616.tif 000009
【図９】
0006976616.tif 000010
【図１０】
0006976616.tif 000011
【図１１】
0006976616.tif 000012